(57)【特許請求の範囲】
【請求項１】
透光性材料にて形成されると共に正面の形状が略矩形状の板状部材である導光板と、該導光板の側面のうちの少なくとも一部の側面に対向するように配置された光源と、前記導光板の少なくとも一部及び前記光源の少なくとも一部を収納するフレーム部材と、を備え、前記光源から前記導光板内に出射された光が該導光板の正面から出射されるように構成された照明装置において、
前記導光板の側面のうち、前記光源が対向するように配置される側面を「光源対向側面」とした場合に、
前記フレーム部材は、
少なくとも前記光源対向側面の法線方向に前記導光板を摺動可能に支持する導光板支持部と、
前記光源対向側面を含む前記導光板の端縁部分及び該光源対向側面に対向するように配置された光源を、前記法線方向に沿って移動可能となる状態で収納する第１空間部と、
前記光源対向側面であって前記導光板の角部近傍に位置する部分の面に対向するように配置されていて前記導光板の摺動を規制する導光板ストッパ部と、
該導光板ストッパ部における前記導光板が当接される側とは反対の側に形成されると共に前記第１空間部に連通された第２空間部と、
を有し、
前記導光板ストッパ部が前記導光板の摺動を規制する際に前記光源対向側面が当接される該導光板ストッパ部の部分を「ストッパ側当接部」とし、該ストッパ側当接部を基準として前記導光板から離反する側を「導光板離反側」とした場合に、
前記第１空間部は、前記光源が前記ストッパ側当接部よりも前記導光板離反側に移動可能となる状態で該光源を収納するように形成された、
ことを特徴とする照明装置。
【請求項２】
前記第１空間部は、前記導光板における１つの角部に近接する位置から該角部と離間する方向に前記光源対向側面に沿って所定距離だけ延設されてなる、
ことを特徴とする請求項１に記載の照明装置。
【請求項３】
前記光源に電気的に接続されると共に前記第１空間部から前記第２空間部に掛けて配置されてなるコード、
を備えたことを特徴とする請求項１又は２に記載の照明装置。
【請求項４】
前記フレーム部材は、前記第２空間部に連通されると共に前記導光板の背面に沿うように形成される第３空間部、を有し、
前記コードは、前記第２空間部から前記第３空間部に掛けて配置された、
ことを特徴とする請求項３に記載の照明装置。
【請求項５】
前記光源はＬＥＤ光源である、
ことを特徴とする請求項１乃至４のいずれか１項に記載の照明装置。
【請求項６】
前記第１空間部の内部であって前記光源における前記導光板に対向する側と反対の側に配置されて、該光源を前記光源対向側面に付勢するバネ部材、
を備えたことを特徴とする請求項１乃至５のいずれか１項に記載の照明装置。
【請求項７】
前記導光板ストッパ部は、前記バネ部材の所定量以上の変形を防止する位置に配置された、
ことを特徴とする請求項６に記載の照明装置。
【発明の詳細な説明】
【技術分野】
【０００１】
本発明は、照明装置に係り、より詳しくは、いわゆるエッジライト型の照明装置において、導光板が熱膨張した場合に光源が押し付けられないようにした照明装置に関する。
【背景技術】
【０００２】
従来、導光板の側方に光源を配置した、いわゆるエッジライト型の照明装置については、種々の構成のものが提案されている（例えば、特許文献１参照）。
【０００３】
図７は、エッジライト型の照明装置の従来構成の一例を示す断面図であり、符号２０２は、透光性材料で構成された導光板を示し、符号２０３は、該導光板２０２の側面に対向するように配置されて該導光板内に照明光Ｌ１を出射する光源を示し、該光源２０３から前記導光板２０２内に出射された光Ｌ１は該導光板２０２の正面から出射されるように構成されている（符号Ｌ２参照）。このようなエッジライト型の照明装置は、光源２０３を導光板２０２の背面側にではなく側面側に配置しているので薄型にできるという特徴を有しており、天井や壁面等に設置して使用されるようになっている。
【先行技術文献】
【特許文献】
【０００４】
【特許文献１】特開２０１０−１７７０７７号公報
【発明の概要】
【発明が解決しようとする課題】
【０００５】
しかしながら、上述の構成のものでは、導光板２０２が光源２０３の発熱により膨張した場合には該光源２０３が該フレーム部材２０４に押し付けられてしまうおそれがあった。このような構成の照明装置は、液晶テレビや液晶モニターのバックライトとしても使用されてはいるが、バックライトではなく本来の照明装置として使用する場合には光源２０３の光量が多くなって発熱量も多くなるので、前記導光板２０２の膨張には特に注意する必要があった。
【０００６】
本発明は、上述の問題を解消するためになされたもので、その目的は、エッジライト型の照明装置において、導光板が熱膨張した場合に光源が押し付けられないようにした照明装置を提供することである。
【課題を解決するための手段】
【０００７】
請求項１に係る発明は、図２(a) (b) に例示するものであって、透光性材料にて形成されると共に正面（図３の符号２ａ参照）の形状が略矩形状の板状部材である導光板（２）と、該導光板（２）の側面（２ｃ）のうちの少なくとも一部の側面（２ｃ）に対向するように配置された光源（３）と、前記導光板（２）の少なくとも一部及び前記光源（３）の少なくとも一部を収納するフレーム部材（４）と、を備え、前記光源（３）から前記導光板（２）内に出射された光（Ｌ１）が該導光板（２）の正面（２ａ）から出射されるように構成された照明装置（１）において、
前記導光板（２）の側面（２ｃ）のうち、前記光源（３）が対向するように配置される側面（２ｃ）を「光源対向側面」とした場合に、
前記フレーム部材（４）は、
少なくとも前記光源対向側面（２ｃ）の法線方向（±ｎ）に前記導光板（２）を摺動可能に支持する導光板支持部（図３の符号４ａ参照）と、
前記光源対向側面（２ｃ）を含む前記導光板（２）の端縁部分及び該光源対向側面（２ｃ）に対向するように配置された光源（３）を、前記法線方向（±ｎ）に沿って移動可能となる状態で収納する第１空間部（図２(b) 及び図３の符号４ｓ１参照）と、
前記光源対向側面（２ｃ）であって前記導光板（２）の角部（図１の符号２Ａ参照）近傍に位置する部分の面に対向するように配置されていて前記導光板（２）の摺動を規制する導光板ストッパ部（４ｂ）と、
該導光板ストッパ部（４ｂ）における前記導光板（２）が当接される側とは反対の側に形成されると共に前記第１空間部（４ｓ１）に連通された第２空間部（４ｓ２）と、
を有し、
前記導光板ストッパ部（４ｂ）が前記導光板（２）の摺動を規制する際に前記光源対向側面（２ｃ）が当接される該導光板ストッパ部（４ｂ）の部分（図１(a) (b) の符号Ｅ１，Ｅ２参照）を「ストッパ側当接部」とし、該ストッパ側当接部（Ｅ１，Ｅ２）を基準として前記導光板（２）から離反する側（ストッパ側当接部Ｅ１については＋ｎ１側であり、ストッパ側当接部Ｅ２については＋ｎ２側）を「導光板離反側」とした場合に、
前記第１空間部（４ｓ１）は、前記光源（３）が前記ストッパ当接部（Ｅ１，Ｅ２）よりも前記導光板離反側（＋ｎ１，＋ｎ２）に移動可能となる状態で該光源（３）を収納するように形成されたことを特徴とする。
【０００８】
請求項２に係る発明は、請求項１に係る発明において、前記第１空間部（４ｓ１）が、前記導光板（２）における１つの角部に近接する位置から該角部と離間する方向に前記光源対向側面（２ｃ）に沿って所定距離だけ延設されてなることを特徴とする。
【０００９】
請求項３に係る発明は、請求項１又は２に記載の発明において、前記光源（３）に電気的に接続されると共に前記第１空間部（４ｓ１）から前記第２空間部（４ｓ２）に掛けて配置されてなるコード（図６の符号３Ｃ参照）、を備えたことを特徴とする。
【００１０】
請求項４に係る発明は、請求項３に係る発明において、前記フレーム部材（４）が、前記第２空間部（４ｓ２）に連通されると共に前記導光板（２）の背面（図３の符号２ｂ参照）に沿うように形成される第３空間部（不図示）、を有し、
前記コード（３Ｃ）は、図４(b) に示すように、前記第２空間部（４ｓ２）から前記第３空間部に掛けて配置されたことを特徴とする。
【００１１】
請求項５に係る発明は、請求項１乃至４のいずれか１項に記載の発明において、前記光源（３）はＬＥＤ光源であることを特徴とする。
【００１２】
請求項６に係る発明は、請求項１乃至５のいずれか１項に記載の発明において、図２(b)
に示すように、前記第１空間部（４ｓ１）の内部であって前記光源（３）における前記導光板（２）に対向する側と反対の側に配置されて、該光源（３）を前記光源対向側面（２ｃ）に付勢するバネ部材（７）、を備えたことを特徴とする。
【００１３】
請求項７に係る発明は、請求項６に係る発明において、前記導光板ストッパ部（４ｂ）が、前記バネ部材（７）の所定量以上の変形を防止する位置に配置されたことを特徴とする。
【００１４】
なお、括弧内の番号などは、図面における対応する要素を示す便宜的なものであり、従って、本記述は図面上の記載に限定拘束されるものではない。
【発明の効果】
【００１５】
請求項１，２及び５に係る発明によれば、前記導光板は、前記導光板支持部によって前記法線方向（つまり、前記光源対向側面の法線方向）に摺動可能に支持されているので、前記光源の発熱に伴う熱膨張が許容される。また、本発明によれば、前記導光板の側方に配置された光源は前記フレーム部材に固定されずに前記法線方向に移動可能に配置されていると共に前記導光板ストッパ部によって前記導光板の前記所定以上の摺動が規制されるようになっているので、該光源の熱により前記導光板が該方向に膨張したとしても、該光源が前記フレーム部材（該フレーム部材の内壁面）との間に押し付けられてしまうというおそれを回避することができる。さらに、本発明によれば、前記第１空間部と前記第２空間部とが連通されるように構成されているので、これらの空間部を前記光源のコードの配線用空間として利用できる。したがって、前記光源対向側面（具体的には、前記光源対向側面のうち、前記導光板の角部近傍に位置する部分の面）と前記導光板ストッパ部との間に前記コードを通す必要が無くなり、該コードが前記導光板と前記導光板ストッパ部とに挟まれてしまう事態を回避することができる。
【００１６】
請求項３及び４に係る発明によれば、前記コードはフレーム部材によって被覆されるので、照明装置の美観を向上させることができる。
【００１７】
請求項６に係る発明によれば、前記光源と該光源対向側面とが密着することとなり、該光源から出射された光が効率良く前記導光板に導かれて発光効率を高めることができる。
【００１８】
請求項７に係る発明によれば、前記バネ部材への過負荷を防止することができる。
【図面の簡単な説明】
【００１９】
【図１】図１(a) は、導光板ストッパ部の形状等を示す詳細平面図であり、同図(b) は、その斜視図である。
【図２】図２(a) は、本発明に係る照明装置の構成の一例を示す断面図であり、同図(b) は、その拡大断面図である。
【図３】図３は、光源の支持構造等を示す分解断面図である。
【図４】図４(a) は、本発明に係る照明装置の構成の一例を示す正面図であり、同図(b) は、その背面図である。
【図５】図５(a) は、導光板ストッパ部の形状の他の例を示す詳細平面図であり、同図(b) は、導光板ストッパ部のさらに他の例を示す詳細断面図である。
【図６】図６は、ＬＥＤ光源の構成の一例を示す斜視図である。
【図７】図７は、エッジライト型の照明装置の従来構成の一例を示す断面図である。
【発明を実施するための形態】
【００２０】
以下、図１乃至図６に沿って、本発明の実施の形態について説明する。
【００２１】
本発明に係る照明装置は、図２(a) (b) に符号１で例示するものであって、
・  アクリルやポリカーボネート等の透光性材料で形成された板状部材（本明細書において“導光板”とする）２と、
・  該導光板２の側面のうちの少なくとも一部の側面（図３の符号２ｃ参照）に対向するように配置された光源３と、
・  前記導光板２の少なくとも一部及び前記光源３の少なくとも一部を収納するフレーム部材４と、
を備えており、前記光源３から前記導光板２内に出射された光Ｌ１が該導光板２の内部を通って正面（図３の符号２ａ参照）から出射されるように構成されている（図２(b) の符号Ｌ２参照）。なお、本明細書においては、前記導光板２に関しては、光が出射される側の面（図３の符号２ａ参照）を“正面”と称することとし、該正面と反対側の面２ｂを“背面”と称することとし、正面２ａ及び背面２ｂに略直交する面２ｃを“側面”と称することとし、該導光板２の側面のうち前記光源３が対向するように配置される側面（該光源３が対向するように配置されている側面の一部分ではなく、その側面の全体）を“光源対向側面”と称することとする。また、前記光源３に関しては、光が出射される側の面（図３の符号３ａ参照）を“正面”と称することとし、該正面と反対側の面３ｂを“背面”と称することとし、正面３ａ及び背面３ｂに略直交する面３ｃ，３ｄを“側面”と称することとする。
【００２２】
そして、前記導光板２は、図４(a) (b) に示すように、正面の形状及び背面の形状が略矩形状をしていて、前記フレーム部材４は、
・  少なくとも前記光源対向側面２ｃの法線方向（図２(b) 及び図３の符号±ｎ参照）に前記導光板２を摺動可能に支持する導光板支持部（図３の符号４ａ，４ａ参照）と、
・  前記光源対向側面２ｃを含む前記導光板２の端縁部分及び該光源対向側面２ｃに対向するように配置された光源３を、前記法線方向±ｎに沿って移動可能となる状態で収納する第１空間部（図２(b) 及び図３の符号４ｓ１参照）と、
・  図１(a) (b) に示すように、該導光板２における少なくとも１つの角部２Ａの側面（具体的には、前記光源対向側面２ｃであって前記導光板２の角部近傍に位置する部分の面）に対向するように配置されていて前記導光板２の摺動を規制する導光板ストッパ部４ｂと、
・  該導光板ストッパ部４ｂにおける前記導光板２が当接される側とは反対の側に形成されると共に前記第１空間部４ｓ１に連通された第２空間部（図１(a) の符号４ｓ２参照）と、
を有している。そして、前記導光板ストッパ部４ｂが前記導光板２の摺動を規制する際に前記光源対向側面２ｃが当接される該導光板ストッパ部４ｂの部分（図１(a) (b) の符号Ｅ１，Ｅ２参照）を「ストッパ側当接部」とし、該ストッパ側当接部Ｅ１，Ｅ２を基準として前記導光板２から離反する側（ストッパ側当接部Ｅ１については＋ｎ１側であり、ストッパ側当接部Ｅ２については＋ｎ２側）を「導光板離反側」とした場合に、前記第１空間部４ｓ１は、前記光源３が前記ストッパ側当接部Ｅ１，Ｅ２よりも前記導光板離反側（＋ｎ１側、又は＋ｎ２側）に移動可能となる状態で該光源３を収納するように形成されている。なお、図１(a)
(b) に示すストッパ側当接部Ｅ１，Ｅ２は平面であるが、もちろんこれに限られるものではなく、平面以外のもの（曲面や突起等）であっても良い。この場合、アクリルやポリカーボネートにて形成した公知の拡散板（不図示）を該導光板２の正面側に配置し、該導光板２の背面側には公知の反射板（不図示）を配置すると良い。
【００２３】
本発明によれば、前記導光板２は、前記導光板支持部４ａ，４ａによって前記法線方向±ｎ（つまり、前記光源対向側面２ｃの法線方向±ｎ）に摺動可能に支持されているので、前記光源３の発熱に伴う該方向への熱膨張が許容される。また、本発明によれば、前記導光板２の側方に配置された光源３は前記フレーム部材４に固定されずに前記法線方向±ｎに移動可能に配置されていると共に前記導光板ストッパ部４ｂによって前記導光板２の所定以上の摺動が規制されるようになっているので、該光源３の熱により前記導光板２が該方向＋ｎに膨張したとしても、該光源３が前記フレーム部材４（該フレーム部材４の内壁面）との間に押し付けられてしまうというおそれを回避することができる。なお、前記導光板２は摺動可能に支持されているので、前記照明装置１を設置する時点で該導光板２が少なくとも一部の導光板ストッパ部４ｂ（例えば、導光板２の４隅にそれぞれ配置された４つの導光板ストッパ部４ｂの内の２つの導光板ストッパ部４ｂ）に既に当接してしまっていることもあり得る。しかし、この場合でも、該導光板２が光源３を押し付けてしまうというおそれを回避することができる。かかる場合、残りの導光板ストッパ部４ｂ（つまり、導光板２に当接していない導光板ストッパ部４ｂ）と導光板２とは離間しているので、該導光板２が熱膨張する場合は、一部の導光板ストッパ部４ｂ（つまり、導光板２が既に当接している導光板ストッパ部４ｂ）と接触した状態で、残りの導光板ストッパ部４ｂ（つまり、まだ接触していない導光板ストッパ部４ｂ）との距離を縮めるように該導光板２が膨張することとなる。さらに、本発明によれば、前記第１空間部４ｓ１と前記第２空間部４ｓ２とが連通されるように構成されているので、これらの空間部４ｓ１，４ｓ２を前記光源３のコードの配線用空間として利用できる。したがって、前記光源対向側面（具体的には、前記光源対向側面２ｃのうち、前記導光板２の角部近傍に位置する部分の面）２ｃと前記導光板ストッパ部４ｂとの間に前記コードを通す必要が無くなり、該コードが前記導光板２と前記導光板ストッパ部４ｂとに挟まれてしまう事態を回避することができる。
【００２４】
なお、前記光源３は、前記導光板２の全ての側面２ｃに対向させて配置しておく必要は無い。例えば、該導光板２の正面形状が矩形である場合は４つの側面を有することになるが、
・  ４つの側面の内の１つの側面に対向させて配置しても、
・  ４つの側面の内の２つの側面に対向させて配置しても、
・  ４つの側面の内の３つの側面に対向させて配置しても、
・  ４つの側面の内の４つの側面に対向させて配置しても、
いずれでも良い。また、その側面（つまり、光源３を対向させて配置する光源対向側面２ｃ）に関しては、光源３を該側面２ｃの全体に亘って（つまり、一方の角部２Ａから他方の角部２Ａに掛けての全体に亘って）配置しておく必要は無く、一部にのみ配置するようにしても良い。さらに、図４(a) (b) に示すフレーム部材４は、導光板２の全ての端縁及び全ての角部を囲繞するように“額縁状”に形成されているが、もちろんこれに限られるものではなく、上述のような導光板ストッパ部４ｂや第１空間部４ｓ１や第２空間部４ｓ２を形成し得るものであればよく、前記導光板２の一部及び前記光源３の一部を収納できるように形成されていれば足りる。
【００２５】
ところで、前記導光板ストッパ部４ｂは、前記光源対向側面２ｃの法線方向±ｎへの前記導光板２の移動を規制するものであるので、その形状（特に、前記導光板２の正面２ａ及び背面２ｂに沿った方向の断面形状）は前記光源３を配置する位置によって異ならせれば良い。例えば、図１(a) に示すように、隣接される２つの側面２ｃ，２ｃにそれぞれ光源３を配置する場合は、前記導光板ストッパ部４ｂの断面形状は、同図に符号４ｂで示すＬ字状や、図５(a)
に符号１４ｂで示す形状にする必要があるが、図５(b) に示すように、隣接される２つの側面の内の一方の側面にのみ光源３を配置する場合は、導光板ストッパ部の断面形状は、符号２４ｂで示すようにＩ字状にすれば足りる。
【００２６】
ところで、前記第１空間部４ｓ１は、前記導光板２における１つの角部に近接する位置から該角部と離間する方向に前記光源対向側面２ｃに沿って所定距離だけ延設しておくと良い。また、前記光源３に電気的に接続されたコード（図６の符号３Ｃ参照）を、前記第１空間部４ｓ１から前記第２空間部４ｓ２に掛けて配置すると良い。そのようにした場合には、該コード３Ｃは、前記導光板ストッパ部４ｂの背面側に配置されることとなり、該導光板ストッパ部４ｂと前記導光板２との間に挟まれたりすることを回避でき、該コード３Ｃの断線を防止することができる。さらに、前記フレーム部材４には、前記第２空間部４ｓ２に連通されると共に前記導光板２の背面２ｂに沿うように形成される第３空間部（不図示）を設けておき、前記コード３Ｃを、前記第２空間部４ｓ２から前記第３空間部に掛けて配置すると良い（図４(b) 参照）。このようにすることにより、前記コード３Ｃはフレーム部材４によって被覆され、照明装置１の美観を向上させることができる。
【００２７】
また、前記光源３としてはＬＥＤ光源を用いると良く、図６に示すように、１枚の基板３Ａに複数の発光素子３Ｂを接続したものとしても良い。因みに、本発明者らが試作した照明装置では、５ｍｍ角程度の発光素子３Ｂを長さ６０ｃｍの基板３Ａに１００個近く取り付けて用いた。
【００２８】
ところで、図２(b) に示すように、前記光源３の背面側（つまり、前記導光板２に対向する側と反対の側）であって前記第１空間部４ｓ１の内部（つまり、前記光源３と前記フレーム部材４の内壁面との間）には、圧縮された状態のバネ部材７を配置しておき、該バネ部材７が前記光源３を前記光源対向側面２ｃに付勢するように構成すると良い。そのようにした場合には、前記光源３と該光源対向側面２ｃとが密着することとなり、該光源３から出射された光が効率良く前記導光板２に導かれて発光効率を高めることができる。また、前記導光板ストッパ部４ｂは、前記バネ部材７の所定量以上の変形を防止できる位置に配置しておくと良い。これにより、前記バネ部材７への過負荷を防止することができる。また、前記光源３における光源正面側の面３ａが、前記光源対向側面２ｃと密着可能な略平面部分を有するようにすると良い。そのようにした場合には、該光源３と該光源対向側面２ｃとが面接触することとなり、発光効率をさらに高めることができる。
【００２９】
なお、本発明に係る照明装置１は、図２(a) に示す状態で天井に取り付けて使用しても良いが、図２(a) に示す状態から９０度回転させて“立てた状態”で使用しても良い（例えば、室内の壁に取り付けるようにしても良い）。その場合は、導光板２が自重により下方にスライドするが、該導光板２の下端縁は導光板ストッパ部４ｂに当接するので、該下端縁が光源３を押し付けることも無い。また、該導光板２の上端側に光源３を配置している場合であっても、上述のようなバネ部材７を配置することで、該光源３はバネ部材７によって導光板２の上端面に押し付けられることとなり、該光源３と導光板２との間に隙間が生じることなく、発光効率を高く維持することができる。
【００３０】
この場合、前記バネ部材７は、図３に詳示するように、
・  前記光源３に当接される第１端部７ａと、
・  前記フレーム部材４に当接される第２端部７ｃと、
・  これらの端部７ａ，７ｃの間の部分であって板バネにより構成された部分７ｂ（以下、「傾斜部」とする）と、
により構成すると良い。そして、該傾斜部７ｂは、前記光源対向側面２ｃに対して傾斜するように配置されており、自身の撓みによって前記光源３を前記導光板２に付勢するようにすると良い。そのようにした場合には、該バネ部材７の長さ（つまり、前記法線方向±ｎに沿った長さ）を他のスプリング（例えば、コイルスプリング）よりも短くでき、前記フレーム部材４の寸法（つまり、前記法線方向±ｎに沿った方向の寸法）を小さくでき、照明装置の美観を向上させることができる。
【００３１】
また、上述の第１端部７ａは、前記光源３に直接的に当接されるのではなく、前記法線方向±ｎに摺動可能となるように配置された部材（以下、“摺動部材”とする）８を介して前記光源３に間接的に当接されるようにしても良い。例えば、前記第１空間部４ｓ１を形成する一対の壁部４ｃ，４ｄ（つまり、前記フレーム部材４の壁部であって、前記光源３の２つの側面３ｃ，３ｄに対向する側の２つの壁部４ｃ，４ｄ）を、前記法線方向±ｎと略平行な方向にそれぞれ延設させておき、前記摺動部材８には、前記一対の壁部４ｃ，４ｄにそれぞれ当接される摺動面８ａ，８ｂを形成しておいて、該壁部４ｃ，４ｄと該摺動面８ａ，８ｂとがそれぞれ接触した状態で前記摺動部材８が前記法線方向±ｎに摺動するように構成しておくと良い。この場合、前記摺動部材８は前記法線方向±ｎに沿って平行移動することとなり、前記バネ部材７が上述のような簡単な構造のものでありながら、前記法線方向−ｎに前記光源３を付勢することができ、前記導光板２が熱膨張したとしても前記光源３が傾いたりすることを低減して、発光効率を高く維持することができる。なお、図３に示す構成では、前記摺動部材８は前記光源３と切離自在となるように別体の部材で構成されているが、もちろんこれに限られるものではなく、これらの摺動部材８と光源３とが一体的に形成されていても良い。つまり、発光素子３Ｂと、基板３Ａと、該基板３Ａに固設された摺動部材８とが、一体的にユニット化されていても良い。
【００３２】
さらに、前記バネ部材７の第１端部７ａと前記摺動部材８とは、該摺動部材８の摺動位置にかかわらず前記傾斜部７ｂの傾斜角θが略一定に保持されるように係合されるようにすると良い。具体的には、図３に詳示するように、前記摺動部材８には、一端が支持されて他端が突出するように片持ち梁状に構成された板状部８ｃを設けておき、前記バネ部材７の第１端部７ａは、該板状部８ｃを挟持する形状にすると良い。そのようにした場合には、前記バネ部材７の第１端部７ａにより前記板状部８ｃを挟み込むという簡単な作業により両部材７，８を接続することができるばかりでなく、該摺動部材８の摺動位置にかかわらず前記傾斜部７ｂの傾斜角θが略一定に保持されるように係合できる。
【００３３】
ところで、前記摺動部材８を前記光源３と切離自在となるように別体の部材で構成した場合、それらの摺動部材８と光源３とは、少なくとも３点で接触するようにすると良い。そのようにした場合には、該光源３は前記摺動部材８と共に前記法線方向±ｎに平行移動することとなり、前記導光板２が熱膨張したとしても前記光源３が傾いたりすることを低減して、発光効率を高く維持することができる。
【００３４】
一方、前記フレーム部材４及び前記摺動部材８を熱伝導に優れた材料（好ましくは、アルミニウム等の金属材料）にて構成すると共に、前記摺動部材８と前記光源３とは、上述のような点接触ではなく面で接触するように構成すると良い。そのようにした場合には、該光源３の熱を該摺動部材８から前記フレーム部材４に効率良く伝えることができ、放熱効果を高めて該光源３の寿命を向上させることができる。
【００３５】
さらに、図３に示すバネ部材７の第２端部７ｃは、図２(b) に示すように、前記フレーム部材４に直接的に当接されているが、もちろんこれに限られるものではなく、何らかの部材を介して前記フレーム部材４に間接的に当接されたものを本発明の範囲から除外するものではない。
【００３６】
また、上述のバネ部材７は、前記第１端部７ａ、前記第２端部７ｃ及び傾斜部７ｂの全体が板バネにて構成されている必要はなく、少なくとも前記傾斜部７ｂが板バネにて構成されていれば足りる。
【００３７】
さらに、上述の摺動部材８やバネ部材７は、前記フレーム部材４の全長に渡って連続的に配置しておく必要はない。例えば、２ｃｍの長さで断続的に複数配置するようにしても良い。
【符号の説明】
【００３８】
１            照明装置
２            導光板
２ａ          正面
２Ａ          角部
２ｂ          背面
２ｃ          光源対向側面
３            光源
３Ｃ          コード
４            フレーム部材
４ａ          導光板支持部
４ｂ          導光板ストッパ部
４ｓ１        第１空間部
４ｓ２        第２空間部
７            バネ部材
±ｎ          法線方向
【図１】
0005255080.tif 000002
【図２】
0005255080.tif 000003
【図３】
0005255080.tif 000004
【図４】
0005255080.tif 000005
【図５】
0005255080.tif 000006
【図６】
0005255080.tif 000007
【図７】
0005255080.tif 000008